(57)【特許請求の範囲】
【請求項１】
消火器（Ｅ）を壁内に設置し、壁面に設けた開口（Ｈ）から取り出し得る消火器ケースであって、
前記開口は（Ｈ）は、消火器（Ｅ）の正面視投影長よりも小さい開口大きさであって、
壁面の開口（Ｈ）の開口縁に沿って枠形成する開口枠（１１）を有した枠部（１）と、開口枠（１１）に当接して開口（Ｈ）を覆うと共に開閉機構（２）によってヒンジ固定されて開閉回動し得る扉（３）と、扉（３）の裏側に取付けられて扉（３）の前記開閉回動と共に傾斜回動する消火器保持部（４）と、を具備してなり、
壁面取り付け部に取り付けた枠部（１）の開口枠（１１）内に、略水平に扉（３）を差し込んで大きく開口させた差し込み状態（Ｓ０）とし、開口枠（１１）の内側から軸固定部（２１）で扉（３）を回動可能にヒンジ固定され、
保持収容された消火器（Ｅ）は、その一部分である壁内突出部が壁面投影視にて開口（Ｈ）の形状よりも下方へ突出した閉収容状態となると共に、扉（３）の開口回動と共に傾斜回動してその一部が壁面よりも前方へ突出した開口状態となり、
前記扉（３）は、枠部（１）の開口縁の下辺寄りを開閉軸として上方から開口するものであり、消火器保持部（４）は、扉（３）の裏面に固定された固定板（４１）に沿って消火器（Ｅ）を起立方向に保持し、保持した消火器（Ｅ）の起立方向下部の壁内突出部が、閉収容状態の壁内にて扉（３）よりも鉛直下方へ突出してなり、
前記開閉機構（２）は、扉（３）を開閉回動可能に軸固定する軸固定部（２１）と、扉（３）の開閉回動量を所定の最大角度内に制限する回動制限部（２２）とから構成され、
前記枠部（１）は、開口枠（１１）の両側部から壁内の壁厚さ方向に枠出した左右の枠側板（１２）を有し、
前記扉（３）は、扉裏面の両側部から、前記枠側板（１２）それぞれの内側に対向して立設した左右の内側板（３２）を有してなり、開閉機構（２）の前記軸固定部（２１）は、これら枠側板（１２）及び内側板（３２）のうち一方及び他方の対応位置に左右それぞれ設けられた、挿通孔（２１Ｈ）及びこれに挿通する突出ピン（２１Ｐ）からなり、これら左右の突出ピン（２１Ｐ）は、壁面の開口（Ｈ）へ取付けた枠部（１）内に扉（３）を配置した状態で、左右それぞれの挿通孔（２１Ｈ）に挿通し、軸固定し得る消火器ケース。
【請求項２】
前記内側板（３２）は、保持収容した消火器の壁内突出部よりも下方へ延出して消火器の左右の側部を囲う形状からなり、
軸固定部（２１）からこの内側板（３２）の延出端までの最大距離である最延出距離（３２Ｌ）が、取付け部の壁厚（ＷＤ）よりも小さく設定され、 開閉機構（２）の前記回動制限部（２２）は、軸固定部（２１）による軸固定ののちに開口枠（１１）の内側から取付けて、扉の回動角度を制限するものである請求項１記載の消火器ケース。
【請求項３】
扉（３）と、扉（３）の裏面に固定された消火器保持部（４）と、消火器保持部（４）に保持された消火器（Ｅ）とからなる回動部の総重心（Ｇ）の位置が、回動制限部（２２）によって制限された最大角度の開口状態において、壁面（ＷＦ）よりも前方にあることで、最大角度の開口状態を保持し得る請求項１又は請求項２のいずれかに記載の消火器ケース。
【請求項４】
請求項１から請求項３のいずれかに記載の消火器ケースの取付け方法であって、
枠部（１）を壁面取付け部の開口（Ｈ）に取り付ける工程と、
固定ビスでビス止めする枠取り付け工程と、
壁面取り付け部に取り付けた枠部（１）の開口枠（１１）内に、略水平に扉（３）を差し込んで大きく開口させた差し込み状態（Ｓ０）とし、開口枠（１１）の内側から軸固定部（２１）で扉（３）を回動可能にヒンジ固定する蓋差し込み工程と、
差し込み状態（Ｓ０）から扉を閉口方向に回動させ、開口枠（１１）の内側から回動制限部（２２）を取り付けて回動量を制限する制限工程と、
を含む消火器ケースの取り付け方法。
【発明の詳細な説明】
【技術分野】
【０００１】
本発明は、消火器を壁内に埋め込んで収容する壁面埋め込み型の消火器ケースに関する。
【背景技術】
【０００２】
従来、壁面埋め込み型消火器ケースが開示される（特許文献１参照）。
【先行技術文献】
【特許文献】
【０００３】
【特許文献１】特開２００２−８５５７９号公報
【発明の概要】
【発明が解決しようとする課題】
【０００４】
上記従来の消火器ケースは正面の開口のみを小さく形成したものであって、収容した消火器の出し入れが容易ではなかった。特に収容した消火器を取り出す際は火災等が発生した非常時であるため、取り出しやすさは重大な問題となり得る。
また上記従来の消火器ケースの取付けは、壁の仕上げ工程より前工程である、壁下地材の組み上げ工程の際に、あらかじめ消火器収納用の本体を壁材の内部の所定位置及び所定高さに仕込み固定しておく必要があり、作業の順番に制限が出るものであった。通常の建築工事では、壁面の施工と消火器ケースの設置を別の作業者が行う場合が多く、消火器ケースの設置作業者が設置箇所を後追いする等、作業の順番に制限が出ることで工事の進捗に影響を及ぼすことも考えられる。
【０００５】
そこで本発明では、収容した消火器の出し入れが容易であり、壁への取付けに関し、予め消火器収納用の本体を壁材の内部の所定位置及び所定高さに仕込み固定しておく必要がなく、消火器ケースの設置作業の順番に制限が生じない消火器ケースを提供することを課題とする。
【課題を解決するための手段】
【０００６】
上記課題を解決すべく本発明では下記手段を講じるものとしている。
（１）本発明の消火器ケースは、
壁内に設置した消火器を壁面に設けた開口Ｈから取り出し得る消火器ケースであって、
壁面の開口Ｈの開口縁に沿って枠形成する開口枠１１を有した枠部１と、
開口枠１１に当接して開口Ｈを覆うと共に、開閉機構２によってヒンジ固定されて開閉回動し得る扉３と、
扉３の裏側に取付けられて扉３の前記開閉回動と共に傾斜回動する消火器保持部４と、を具備してなり、
保持収容された消火器は、壁面投影視にてその一部分である壁内突出部が開口Ｈの形状よりも下方へ外方突出した収容状態となると共に、
扉３の開口回動と共に傾斜回動してその一部が壁面よりも前方へ突出した開口状態となることを特徴とする。
（２）扉３は、枠部１の矩形形状の開口縁の下辺寄りを開閉軸として上辺から開口するものであり、消火器保持部４は、扉３の裏面に固定された固定板４１を有し、この固定板に沿って消火器を起立方向に保持し、この起立方向に保持した消火器の下部の壁内突出部が、壁内にて扉３よりも下方へ突出してなることが好ましい。
（３）開閉機構２は、扉３の回動軸周りを回動可能にヒンジ固定する軸固定部２１と、扉３の開閉回動量を制限する回動制限部２２とから構成され、
この回動制限部２２によって、消火器が傾斜回動した開口状態において、保持収容された消火器の前記壁内突出部を壁内に収まる状態に保持し、壁の反対面から突出することのないように制限することが好ましい。
（４）枠部１は、開口枠１１の両側部から壁内の壁厚さ方向に枠出した左右の枠側板１２を有し、
扉３は、扉裏面の両側部から、前記枠側板１２それぞれの内側に対向して立設した左右の内側板３２を有してなり、
開閉機構２の軸固定部２１は、これら枠側板１２及び内側板３２のうち一方及び他方の対応位置に左右それぞれ設けられた、挿通孔及びこれに挿通する突出ピンからなり、
これら左右の突出ピンは、壁面の開口Ｈへ取付けた枠部１内に扉３を配置した状態で、左右それぞれの挿通孔に脱落防止機能をもって挿通し、軸固定し得ることが好ましい。
（５）内側板３２は、保持収容した消火器の壁内突出部よりも下方へ延出して消火器の左右の側部を囲う形状からなり、
軸固定部２１からこの内側板３２の延出端までの最大距離である最延出距離３２Ｌが、取付け部の壁厚さＷよりも小さいことが好ましい。
尚併せて、開閉機構２の回動制限部２２は、軸固定部２１による軸固定ののちに開口枠２１の内側から取付け、扉の回動角度を所定の最大開角度以内に制限するものであることが好ましい。
（６）扉３及び消火器保持部４からなる消火器保持構造と、消火器保持部４に保持された消火器Ｅとからなる回動部の総重心Ｇは、回動制限部２２によって制限された最大角度の開口状態において、壁面よりも前方位置にあり、これによって最大角度の開口状態を保持し得ることが好ましい。
消火器保持部４による消火器の保持位置を、開口Ｈの上辺近傍の角度とし、かつ、扉３の重量が増加するように重量調整することで、消火器Ｅを保持し、閉収容状態にある扉３を所定の開口角度以上開くと、回動部の自重によって自動的に最大角度の開口状態となる。
【発明の効果】
【０００７】
上記解決手段を講じることで、収容した消火器の出し入れが容易であり、壁への取付けに関し、予め消火器収納用の本体を壁材の内部の所定位置及び所定高さに仕込み固定しておく必要がなく、消火器ケースの設置作業の順番に制限が生じない消火器ケースを提供することができた。
【図面の簡単な説明】
【０００８】
【図１】本発明の実施例１の消火器ケースの正面視構成説明図。
【図２】実施例１の消火器ケースの背面図。
【図３】実施例１の消火器ケースの平面視構成説明図。
【図４】実施例１の消火器ケースの底面図。
【図５】実施例１の消火器ケースの壁面取付け状態（閉収容状態Ｓ１）を示す側面構成説明図。
【図６】実施例１の消火器ケースの蓋差し込み状態Ｓ０を示す側面構成説明図。
【図７】実施例１の消火器ケースの使用状態（開口状態Ｓ２）を示す側面構成説明図。
【図８】実施例１の消火器ケースの使用状態（閉収容状態Ｓ１）を示す正面視説明図。
【図９】実施例２の消火器ケースの使用状態（開口状態Ｓ２）を示す側面構成説明図。
【図１０】実施例２の消火器ケースの各使用状態（閉収容状態Ｓ１、中間状態Ｓ１２、開口状態Ｓ２）における開閉機構２の状態説明図。
【図１１】実施例２の消火器ケースの２通りの使用状態（閉収容状態Ｓ１）を示す正面視説明図。
【発明を実施するための形態】
【０００９】
以下本発明の消火器ケースを実施するための形態について実施例１、２について示す各図と共に説明する。いずれの実施例においても、本発明の消火器ケースは、汎用の消火器Ｅを、壁面取付け部に設けた開口Ｈ（但しこの開口Ｈは、消火器Ｅの正面視投影長よりも小さい開口大とする）から壁内に収納保持するものであり、基本的に以下の構成を具備する。
・壁面の取付け部に設けられた開口Ｈの開口縁に沿って枠形成する開口枠１１を有した枠部１
・扉３を開閉回動可能に軸支すると共に開閉角度を制御する開閉機構２
・開口枠１１に当接して開口Ｈを覆うと共に、開閉機構２によって回動可能に軸固定されて開閉回動し得る扉３
・扉３の裏側に取付けられて扉３の前記開閉回動と共に傾斜回動する消火器保持部４
上記基本構成を具備した消火器ケースは、消火器Ｅを収納したまま、開口Ｈを扉３で覆った閉収納状態Ｓ１（図５、図８、図１１）、乃至、扉３を開いて前記開口Ｈから消火器を取り出し得る開口状態（図７、図９）の２状態になり得る。
【００１０】
上記開口Ｈは、消火器保持部４によって保持収容された消火器を、壁面投影形状の一部分のみを含む大きさで開口する。この開口Ｈから壁内に収容された消火器は、扉３の裏側に取り付けられた消火器保持部４に係止されることで、扉３の裏面に沿った状態で壁内に保持収容され、閉収容状態（図８）となる。このとき保持収容された消火器の壁面投影形状の一部分は開口Ｈと重なり、消火器の壁面投影形状の残りの部分である壁内突出部は、壁内の収容空間にて、開口Ｈの壁面投影視形状よりも下方へ、所定の壁内突出量をもって突出する（図８）。消火器の上部の一部分のみが開口Ｈと重なっており、消火器の全長分の開口Ｈの高さを設ける必要がないため、図８に現れる壁面のように、巾木Ｋと手すりＢの間の比較的小さい高さのスペースに開口Ｈを設けることができる。
【００１１】
そして扉３を開口させた開口状態において、消火器収容部４に保持収容された消火器は、扉３の開口回動と共に傾斜回動し、側面視にて消火器の一部が、壁面よりも前方へ突出した状態（図７）となる。消火器は消火器保持部４で常に扉３の角度に応じて扉３側に保持収容され、引きだした扉の裏面にて、扉３と同じ角度で前面に傾斜し、消火器の上部にあるハンドルから順に露出するため、収納した消火器が取り出しやすいものとなっている（図７）。
【００１２】
また所定の扉傾斜角度以上の開口状態から、消火器を含む回動部分の総重心Ｇが壁面よりも前方に位置することとなる。これにより、開口の際に扉３の上部の持ち手部３１を持てて前に軽く引き出すだけで、下辺で軸回動固定された扉３が、それ自体及び消火器の重量によって自動的に開口する。また、回動制限部２２によって制限された最大の扉傾斜角度（回動角度）で開口状態を維持することができる。
【００１３】
また、この開口状態において、扉３の裏側に保持された消火器の壁内突出量は、壁面取付け部の収容空間に収まる量であり、壁面収納部の壁面の内側、或いは壁内構造と接触したりすることはない。これは、枠側板１２の壁面からの奥行き方向長さ（枠厚）１２Ｄが、内側板３２の延出端までの最大距離である最延出距離３２Ｌよりも小さく設定されることに基づく。
【００１４】
また本発明の消火器ケースの取付け方法においては、先に枠部１のみを壁面取付け部の開口Ｈに取付け、固定ビスでビス止めする枠取り付け工程と、壁面取り付け部に取り付けた枠部１の開口枠１１内に、略水平に扉３を差し込んで大きく開口させた差し込み状態Ｓ０（図６）とし、開口枠１１の内側から軸固定部２１で扉３を回動可能にヒンジ固定する蓋差し込み工程と、差し込み状態Ｓ０から扉を閉口方向に回動させ、開口枠１１の内側から回動制限部２２を取り付けて回動量（回動角度）を制限する制限工程とを順に経て取付けられる。以下、実施例１，２の各構成につき詳述する。
【実施例１】
【００１５】
図１〜図８に示す実施例１の消火器ケースにおいて、開口Ｈは、消火器保持部４によって保持収容された消火器の壁面投影形状の一部分である正面視上半部のみを含む大きさで開口し、閉収容状態では、壁面投影形状の残りの部分である下半部分が、壁内の収容空間にて、枠部１よりも外方の下方へ突出する。また開口状態では、設置した消火器を埋め込み投影長さの一部分に相当する大きさで壁面に設けた開口Ｈから取り出し得る。
【００１６】
実施例１では閉収容状態において、消火器収容部４に保持収容された消火器は、壁面投影視にてその一部分である壁内突出部が開口Ｈの形状よりも下方へ外方突出した状態（図８）となる。
【００１７】
（枠部１）
枠部１は、外方への張り出し縁を有した四方開口枠１１の両側部から壁内の壁厚さ方向に枠出した左右の枠側板１２と、枠天板１３とから三方枠を形成し、且つ背面側に枠背板１４を有することで、下方に開口した箱型枠部を形成する。箱型枠部は扉の開口状態において収容空間内部の露出の体裁を整える。
【００１８】
（開閉機構２）
開閉機構２は、扉３の回動軸周りを回動可能にヒンジ固定する軸固定部２１と、扉３の開閉回動量を制限する回動制限部２２とから構成される。  通常の使用状態においては開口状態の最大開閉回動角度が回動制限部２２によって制限されるが、この制限を解除した場合でも、消火器の残りの一部が壁内にて下方に突出する突出量は消火器が壁内に収まる量となっている。
【００１９】
回動制限部２２は、消火器が傾斜回動した開口状態において、保持収容された消火器の前記壁内突出部を壁内に収まる状態に保持し、壁の反対面から突出することのないように制限する。実施例１の回動制限部２２は、円弧状に湾曲形成した長孔からなる回動孔２２Ｈと、その中を移動可能に挿通する回動ピン２２Ｐとから構成される。回動孔２２Ｈは軸固定部２１を中心とした中心角３０度の円弧状の湾曲長孔であり、軸固定部２１による軸固定ののちに開口枠２１の内側からピンで挿通し、脱落防止のために裏側のボルトに嵌めて取付ける。扉の回動角度を所定の最大開角度である対鉛直方向３０度以内に制限するものである。
【００２０】
開閉機構２の軸固定部２１は、前記枠側板１２及び内側板３２のうち一方及び他方の対応位置に左右それぞれ設けられた、挿通孔及びこれに挿通する突出ピンからなり、
これら左右の突出ピンは、壁面の開口Ｈへ取付けた枠部１内に扉３を配置した状態で、左右それぞれの挿通孔に脱落防止機能をもって挿通し、軸固定し得る。
【００２１】
また図７に示すように、扉３及び消火器保持部４からなる消火器保持構造と、消火器保持部４に保持された消火器Ｅとからなる回動部の総重心Ｇは、回動制限部２２によって制限された最大角度の開口状態において、壁面よりも前方位置にあり、これによって最大角度の開口状態を保持し得る。消火器保持部４による消火器の保持位置を、開口Ｈの上辺近傍の角度とし、かつ、扉３の重量が増加するように重量調整することで、消火器Ｅを保持し、閉収容状態にある扉３を所定の開口角度以上開くと、回動部の自重によって自動的に最大角度の開口状態となる。
【００２２】
（扉３）
扉３は、枠部１の矩形形状の開口縁の下辺寄りを開閉軸として上辺から開口するものである。扉３は、扉裏面の両側部から、前記枠側板１２それぞれの内側に対向して立設した左右の内側板３２を有してなる。なお、この内側板３２は、次述する消火器保持部４に固定されて扉３よりも下方へ突出してなるものとしてもよい。
【００２３】
内側板３２は、保持収容した消火器の壁内突出部よりも下方へ延出して消火器の左右の側部を囲う。実施例では両側の内側板３３の下端が内底板３３で繋がれ、前辺下部が内前板で覆われることで、後方及び上方に開口した立体枠板を構成する。そして、軸固定部２１からこの内側板３２の延出端までの最大距離である最延出距離３２Ｌが、取付け部の壁厚さＷよりも小さいように設定してある。内側板３２は、消火器が壁内で転倒、落下した時に支える役目を果たす。
【００２４】
（消火器保持部４）
消火器保持部４は、扉３の裏面に固定された固定板４１を有し、この固定板４１が扉３の前記開閉回動と共に傾斜回動する。固定板４１はまた、壁内側の固定面に沿って消火器を保持固定する手段（実施例では固定フック４１Ｆ）を有し、消火器を固定板４１に沿って起立方向に保持する。実施例では、略コ字状断面の板の両側部から固定片が張り出してなり、コ字状に折り曲げられて突出した中央部分の固定板４１の突出面に、消火器を保持固定する手段が設けられる。消火器を保持固定する手段として、消火器を吊り下げて保持するための複数の固定フック４１Ｆが壁内を向くように離間して設けられる。そして両側部の固定片が扉３の裏面に当接固定され、固定板４１が扉の裏面から浮いた状態で固定される。保持固定する手段は実施例のようなＬ字板からなる吊り下げフックに限られず、枠状のアーム、消火器を載置する底板からなる物、或いはこれらを組み合わせたものでもよい。また実施例のような扉の裏側に突設される固定板４１を有することなく、消火器を保持固定する手段が扉３の裏側に直接設けられていてもよい。
【実施例２】
【００２５】
図９〜図１１に示す実施例２の消火器ケースは、
壁面に設けた開口Ｈから消火器Ｅを壁内に埋め込み収容した収容状態となると共に、扉３を開口することで収容した消火器を取り出し得る開口状態となる。
壁面の開口Ｈの開口縁に沿って枠形成する縁なしの四方枠板からなる開口枠１１、及び開口枠１１の側部から壁内の壁厚さ方向に伸びる枠側板１２を有した枠部１と、
開口枠１１に当接して開口Ｈを覆うと共に、開閉機構２によって開口枠１１又は枠側板１２にヒンジ固定されて開閉回動し得る扉３と、
扉３の裏側に取付けられて扉３の前記開閉回動と共に傾斜回動する消火器保持部４と、を具備してなり、
前記開口Ｈは、保持収容された消火器の壁面投影長さの一部分のみと重なり、
消火器保持部４によって保持された消火器は、壁面投影視にて枠部１よりも外方へ突出してなる。
扉３には引き出し用の操作孔からなる横長長円状の持ち手部３１が形成される。
扉３は全周側部が開口枠１１内に収容されて閉収容状態となる。このとき、枠側板１２の内面に設けられた戸当たり用のビス１１Ｂが扉内面にあたって閉状態となる。の１２Ｂは枠側板の固定ビスである。
【００２６】
実施例２の回動制限部２２の回動孔２２Ｈは、円弧状に湾曲形成した長孔の一端に、屈曲して斜め上方へ延出した半長円弧縁からなる延出孔２２ＨＥが形成された一体的な湾曲且つ屈曲孔となっており、その中を移動可能に挿通する回動制限ピン２２Ｐが遊動する。軸固定穴２１Ｈは、この延出孔２２ＨＥと同一方向に並行延出した長孔からなり、その中を移動可能に挿通する軸回動ピン２１Ｐが遊動する。閉収容状態から扉３を壁面手前斜め上方に引き上げることで、回動ピン２１Ｐ及び回動制限ピン２２Ｐが孔内の半長円弧縁の延出孔部分を移動し、回動可能な移行状態となって、この移行状態で回動可能に構成される（図１０（ａ）（ｂ）（ｃ））。回動孔２２Ｈは軸固定部２１を中心とした中心角３０度の円弧状の湾曲長孔であり、軸固定部２１による軸固定ののちに開口枠２１の内側からピンで挿通し、脱落防止のために裏側のボルトに嵌めて取付ける。扉の回動角度を所定の最大開角度である対鉛直方向３０度以内に制限するものである。
実施例２の消火器ケースは、図１１（ａ）のように開口枠１１を壁内に収容して取り付けることもできるし、図１１（ｂ）のように開口枠１１の前部を壁面から張り出す態様で取り付けることもできる。
【符号の説明】
【００２７】
１  枠部
１１  開口枠
１２  枠側板
１２Ｂ  取付けビス
１２Ｄ  枠厚
１３  枠天板
１３Ｓ  戸当たり
１４  枠背板
１５  枠底板
２  開閉機構
２０  固定プレート
２１  軸固定部
２１Ｈ  挿通孔
２１Ｐ  突出ピン
２１Ｎ  脱落防止機構
２２  回動制限部
３  扉
３０  扉板
３１  持ち手部
３２  内側板
３２Ｌ  最大延出量
３３  内底板
３４  内前板
４  消火器保持部
４１  固定板
４１Ｆ  固定フック
Ｂ  手すり
ＷＢ  壁ボード
ＷＦ  壁面
ＷＤ  壁厚
Ｅ  消火器
Ｇ  回動部の総重心
Ｈ  開口
ＳＴ  スタッド
Ｓ０  扉差し込み状態
Ｓ１  閉収容状態
Ｓ２  開口状態
Ｋ  巾木
【図１】
0005641399.tif 000002
【図２】
0005641399.tif 000003
【図３】
0005641399.tif 000004
【図４】
0005641399.tif 000005
【図５】
0005641399.tif 000006
【図６】
0005641399.tif 000007
【図７】
0005641399.tif 000008
【図８】
0005641399.tif 000009
【図９】
0005641399.tif 000010
【図１０】
0005641399.tif 000011
【図１１】
0005641399.tif 000012